(57)【要約】【課題】故人の生前の様子を電気的に記憶させた板状メモリを長期間、安全に収納可能であるとともに、板状メモリを取り出せば、故人が元気だったころの画像を見たり声を聞いたりして故人を偲ぶことができる位牌の提供。【解決手段】脚２１の上へ装飾座を複数積層し、台座上面に開口部を有する嵌合穴を開けた台座へ札板１の嵌込片１２を嵌め込んで合体させた後に祭壇へ載置する位牌Ａの札板１の嵌込片１２には、故人のデジタルデータを格納したＭｉｃｒｏＳＤカード３１を収納するための収納室１３が設けられ、収納室壁には帯電防止弾性材１４が貼着されている。【選択図】図１
0003141017.tif 000002
【実用新案登録請求の範囲】
【請求項１】
上下寸法が横寸法に比べて長く、該横寸法に比べて板厚寸法が短い柱状の札本体の下端面から断面長方形の嵌込片を延出させた札板と、
脚の上へ装飾座を複数積層し、台座上面に開口部を有する嵌合穴を開けた台座とからなり、
前記札板の前記嵌込片を前記台座の前記嵌合穴へ嵌め込んで合体させた後に祭壇へ載置する位牌であって、
不揮発性半導体記憶素子に、当人の生前の様子や当人が後世に伝えたい事柄を電気的に記憶させた板状メモリを収納可能な大きさの凹部または有底穴からなる収納室を前記嵌込片に設け、収納室壁に帯電防止弾性材を貼着したことを特徴とする位牌。
【請求項２】
上下寸法が横寸法に比べて長く、該横寸法に比べて板厚寸法が短い柱状の札本体の下端面から断面長方形の嵌込片を延出させた札板と、
脚の上へ装飾座を複数積層し、台座上面に開口部を有する嵌合穴を開けた台座とからなり、
前記札板の前記嵌込片を前記台座の前記嵌合穴へ嵌め込んで合体させた後に祭壇へ載置する位牌であって、
不揮発性半導体記憶素子に、当人の生前の様子や当人が後世に伝えたい事柄を電気的に記憶させた板状メモリを収納可能な大きさの穴を札本体に設け、札本体の上面または側面に位置する穴開口を、着脱可能な蓋で塞ぐとともに、穴内壁および蓋裏面に帯電防止弾性材を貼着したことを特徴とする位牌。
【請求項３】
上下寸法が横寸法に比べて長く、該横寸法に比べて板厚寸法が短い柱状の札本体の下端面から断面長方形の嵌込片を延出させた札板と、
脚の上へ装飾座を複数積層し、台座上面に開口部を有する嵌合穴を開けた台座とからなり、
前記札板の前記嵌込片を前記台座の前記嵌合穴へ嵌め込んで合体させた後に祭壇へ載置する位牌であって、
不揮発性半導体記憶素子に、当人の生前の様子や当人が後世に伝えたい事柄を電気的に記憶させた板状メモリを収納可能な大きさの凹所を前記札本体の裏面側に設け、着脱可能な裏蓋で前記凹所を塞ぐとともに、凹所内壁および裏蓋裏面に帯電防止弾性材を貼着したことを特徴とする位牌。
【請求項４】
上下寸法が横寸法に比べて長く、該横寸法に比べて板厚寸法が短い柱状の札本体の下端面から断面長方形の嵌込片を延出させた札板と、
脚の上へ装飾座を複数積層し、台座上面に開口部を有する嵌合穴を開けた台座とからなり、
前記札板の前記嵌込片を前記台座の前記嵌合穴へ嵌め込んで合体させた後に祭壇へ載置する位牌であって、
不揮発性半導体記憶素子に、当人の生前の様子や当人が後世に伝えたい事柄を電気的に記憶させた板状メモリが収容可能で、収納部内に帯電防止弾性材を貼着した背嚢を、札本体後面側へ着脱可能に取り付けたことを特徴とする位牌。
【請求項５】
上開口へ屋根を着脱可能に嵌着し、内部に板収容室を設けた板収容体と、
該板収容体を支持する台座と、
前記板収容体の板収容室内に収容される複数枚の札板とを具備する繰り出し位牌において、
不揮発性半導体記憶素子に、当人の生前の様子や当人が後世に伝えたい事柄を電気的に記憶させた板状メモリを収容可能で、空洞開口が札板上面に臨む空洞を前記札板に設け、着脱可能な上蓋で前記空洞開口を塞ぐとともに、空洞内面および上蓋内面に帯電防止弾性材を貼着したことを特徴とする繰り出し位牌。
【考案の詳細な説明】
【技術分野】
【０００１】
本考案は、故人の戒名や法名等を札板に記載した位牌に関する。
【背景技術】
【０００２】
特許文献１には、カプセル容器を、札札の隠し穴に収納して遺伝子を保存する位牌が開示されている。
特許文献２には、台座または札板の裏面に、遺骨の一部または形見を保存する収納空室を形成した位牌が開示されている。
【０００３】
【特許文献１】特開２００１−３２７３９２号
【特許文献２】特開平１１−４６９６８号
【考案の開示】
【考案が解決しようとする課題】
【０００４】
生存中の個人に関する情報は多いが、他界してしまうと当人に関する情報は、余程、著名な人物や有名人でないかぎり露散していく。また、著名な人物や有名人であっても、当人が臨む真の情報が後世に伝わるとは限らない。
【０００５】
近年、デジタル機器（カメラ、録画、録音装置）の記憶媒体として、大容量の不揮発性半導体記憶素子を内蔵した板状メモリが使われている。
この板状メモリには、当人を撮影した画像（静止画や動画）、当人の話声や歌を録音した音声、当人が書いた文章、当人が楽器を演奏した時の演奏音等をデジタル化して格納しておくことができる。
【０００６】
遺族の視点からは、板状メモリへデジタルデータを格納しておけば、当人が他界しても、故人が元気だったころの画像を見たり声を聞いたりできるので、故人を偲ぶことができる。
子孫の視点からは、生存中に、自ら自分史を作成して板状メモリへデジタルデータを格納しておけば、その内容を子、孫、未来の子孫に伝えることができる。
子孫の視点からは、板状メモリに格納されたデジタルデータを再生すれば、何世代を経た後でも、自分の先祖に関する明確な情報を得ることができる。
【０００７】
但し、板状メモリには、格納した内容をメモしておく空欄が無いのと、何が格納されているのか一見しただけでは分からない。
通常、板状メモリは、撮影機材とともに、カメラバック等に入れて保管しておくので、誤って、別の画像を上書きしたり、フォーマットしてしまう可能性がある。
また、板状メモリは、形状が小さく、肉厚が薄くて軽いが、静電気や衝撃に弱い。このため、帯電したり、強い力が加わると、半導体記憶素子へ電気的に記憶させた情報が失われてしまう。
【０００８】
一方、位牌は、日本人の先祖祭祀において、重要な役割を果たしてきた。
また、位牌は、当人の臨終から４９日までに用意するものであり、薄い板厚の札板には、故人の戒名や法名等を記載する。
この位牌は、仏壇等に置かれ、故人そのものとして丁重に扱われる。そして、合掌して供養すると、故人の姿が浮かんでくるものであり、俗世に残された家族と悲しみを共にするものである。
位牌には、故人の生きた証、時として人生で得た教訓を子や孫、子孫に伝える役割を合わせ持たせるのが好ましい。
【０００９】
特許文献１の板札の隠し穴は、遺伝子固定紙を封入したカプセル容器を収納するためのものであり、板状メモリを収納するという技術思想はなく、板状メモリの収納には向かない。
特許文献２の収納空室は、故人の遺骨や形見を収納するためのものであり、板状メモリを収納するという技術思想はなく、板状メモリの収納にも向かない。
【００１０】
本考案の目的は、故人の生前の様子を電気的に記憶させた板状メモリを長期間、安全に収納可能であるとともに、板状メモリを取り出せば、故人が元気だったころの画像を見たり声を聞いたりして故人を偲ぶことができる位牌の提供にある。
【課題を解決するための手段】
【００１１】
〔請求項１について〕
位牌は、上下寸法が横寸法に比べて長く、該横寸法に比べて板厚寸法が短い柱状の札本体の下端面から断面長方形の嵌込片を延出させた札板と、脚の上へ装飾座を複数積層し、台座上面に開口部を有する嵌合穴を開けた台座とからなり、札板の嵌込片を台座の嵌合穴へ嵌め込んで合体させた後に祭壇へ載置される。
【００１２】
位牌は、不揮発性半導体記憶素子に、当人の生前の様子や当人が後世に伝えたい事柄を電気的に記憶させた板状メモリを収納可能（二枚収納も可）な大きさの凹部または有底穴からなる収納室を嵌込片に設け、収納室壁に帯電防止弾性材を貼着している。
なお、板状メモリを収納可能な大きさとは、収納室が板状メモリの輪郭に対応した形状を呈し、板状メモリが収納室内にピッタリ納まることを意味する。
嵌込片は、形状が小さいので、請求項１の板状メモリは、ＭｉｃｒｏＳＤカード（商品名）が好適である。
【００１３】
当人が他界した場合には、当人を撮影した画像（静止画や動画）、当人の話声や歌を録音した音声、当人が書いた文章、当人が楽器を演奏した時の演奏音等をデジタル化して格納した板状メモリを嵌込片の収納室に収納してから、嵌込片を台座の嵌合穴へ嵌め込んで合体させた位牌を祭壇へ載置する。
【００１４】
法事の時等に、札板の嵌込片を台座の嵌合穴から抜いて板状メモリを収納室から取り出して再生機器にセットすれば、当人が元気だったころの画像（静止画や動画）を見たり、話声や歌声を聞いたり、当人が書いた文章を見たり、当人が楽器を演奏した時の演奏音を聞いたりできるので、故人を偲ぶことができる。
【００１５】
嵌込片に、板状メモリを収納可能な大きさの凹部からなる収納室を設ける場合には、板状メモリを収納室へ収納後に、札板の嵌込片を台座の嵌合穴へ嵌め込んで合体させると、収納室が隠れるので、収納室や収納した板状メモリが全く目に触れないので、位牌の見栄えが良い。
【００１６】
嵌込片に、板状メモリを収納可能な大きさの有底穴からなる収納室を設ける場合には、板状メモリを収納室へ収納後に、札板の嵌込片を台座の嵌合穴へ嵌め込んで合体させると、収納室が隠れるので、収納室や収納した板状メモリが全く目に触れないので、位牌の見栄えが良い。
なお、収納室壁に帯電防止弾性材を貼着しているため、静電気の発生を防ぐことができ、板状メモリへの衝撃も吸収できる。よって、板状メモリの半導体記憶素子へ電気的に記憶させた情報が失われない。
【００１７】
〔請求項２について〕
位牌は、上下寸法が横寸法に比べて長く、該横寸法に比べて板厚寸法が短い柱状の札本体の下端面から断面長方形の嵌込片を延出させた札板と、脚の上へ装飾座を複数積層し、台座上面に開口部を有する嵌合穴を開けた台座とからなり、札板の嵌込片を台座の嵌合穴へ嵌め込んで合体させた後に祭壇へ載置される。
【００１８】
位牌は、不揮発性半導体記憶素子に、当人の生前の様子や当人が後世に伝えたい事柄を電気的に記憶させた板状メモリを収納可能な大きさの穴（二穴でも可）を札本体に設け、札本体の上面または側面に位置する穴開口を、着脱可能な蓋（上面全体または側面全体を塞ぐものでも良い）で塞ぐとともに、穴内壁および蓋裏面に帯電防止弾性材を貼着している。
なお、板状メモリを収納可能な大きさとは、穴が板状メモリの輪郭に対応した形状を呈し、板状メモリが穴内にピッタリ納まることを意味する。
札本体は、形状が比較的大きいので、請求項２の板状メモリは、ＳＤカード（商品名）が好適である。
【００１９】
当人が他界した場合には、当人を撮影した画像（静止画や動画）、当人の話声や歌を録音した音声、当人が書いた文章、当人が楽器を演奏した時の演奏音等をデジタル化して格納した板状メモリを穴に収納し、穴開口を蓋で塞いでから、嵌込片を台座の嵌合穴へ嵌め込んで合体させた位牌を祭壇へ載置する。なお、穴は、札本体の上面または側面に形成され、穴開口が本体の上面または側面に位置する。
法事の時等に、札板の嵌込片を台座の嵌合穴から抜いて板状メモリを収納室から取り出して再生機器にセットすれば、当人が元気だったころの画像（静止画や動画）を見たり、話声や歌声を聞いたり、当人が書いた文章を見たり、当人が楽器を演奏した時の演奏音を聞いたりできるので、故人を偲ぶことができる。
【００２０】
穴内壁および蓋裏面に帯電防止弾性材を貼着しているため、静電気の発生を防ぐことができ、板状メモリへの衝撃も吸収できる。よって、板状メモリの半導体記憶素子へ電気的に記憶させた情報が失われない。
【００２１】
〔請求項３について〕
位牌は、上下寸法が横寸法に比べて長く、横寸法に比べて板厚寸法が短い柱状の札本体の下端面から断面長方形の嵌込片を延出させた札板と、脚の上へ装飾座を複数積層し、台座上面に開口部を有する嵌合穴を開けた台座とからなり、札板の嵌込片を台座の嵌合穴へ嵌め込んで合体させた後に祭壇へ載置される。
【００２２】
位牌は、不揮発性半導体記憶素子に、当人の生前の様子や当人が後世に伝えたい事柄を電気的に記憶させた板状メモリを収納可能（二枚収納も可）な大きさの凹所を札本体の裏面側に設け、着脱可能な裏蓋で凹所を塞ぐとともに、凹所内壁および裏蓋裏面に帯電防止弾性材を貼着している。
なお、板状メモリを収納可能な大きさとは、凹所が板状メモリの輪郭に対応した形状を呈し、板状メモリが凹所内にピッタリ納まることを意味する。
札本体は、形状が比較的大きいので、請求項３の板状メモリは、ＣＦカード（商品名）が好適である。
【００２３】
当人が他界した場合には、当人を撮影した画像（静止画や動画）、当人の話声や歌を録音した音声、当人が書いた文章、当人が楽器を演奏した時の演奏音等をデジタル化して格納した板状メモリを凹所内に収納し、凹所を裏蓋で塞いでから、嵌込片を台座の嵌合穴へ嵌め込んで合体させた位牌を祭壇へ載置する。
法事の時等に、札板の嵌込片を台座の嵌合穴から抜き、凹所を塞いでいる裏蓋を外し、凹所から板状メモリを取り出して再生機器にセットすれば、当人が元気だったころの画像（静止画や動画）を見たり、話声や歌声を聞いたり、当人が書いた文章を見たり、当人が楽器を演奏した時の演奏音を聞いたりできるので、故人を偲ぶことができる。
【００２４】
凹所内壁および裏蓋裏面に帯電防止弾性材を貼着しているため、静電気の発生を防ぐことができ、板状メモリへの衝撃も吸収できる。よって、板状メモリの半導体記憶素子へ電気的に記憶させた情報が失われない。
【００２５】
〔請求項４について〕
位牌は、上下寸法が横寸法に比べて長く、横寸法に比べて板厚寸法が短い柱状の札本体の下端面から断面長方形の嵌込片を延出させた札板と、脚の上へ装飾座を複数積層し、台座上面に開口部を有する嵌合穴を開けた台座とからなり、札板の嵌込片を台座の嵌合穴へ嵌め込んで合体させた後に祭壇へ載置される。
【００２６】
位牌は、不揮発性半導体記憶素子に、当人の生前の様子や当人が後世に伝えたい事柄を電気的に記憶させた板状メモリを収納部内に収容可能（複数枚収容も可）な背嚢を、札本体後面側へ着脱可能に取り付け、収納部内に帯電防止弾性材を貼着している。
【００２７】
なお、板状メモリを収納部内に収容可能な大きさとは、収納部が板状メモリの輪郭に対応した形状を呈し、板状メモリが収納部内にピッタリ納まることを意味する。
背嚢は、形状が比較的大きいので、請求項４の板状メモリは、ＣＦカード（商品名）が好適である。
【００２８】
当人が他界した場合には、当人を撮影した画像（静止画や動画）、当人の話声や歌を録音した音声、当人が書いた文章、当人が楽器を演奏した時の演奏音等をデジタル化して格納した板状メモリを収納部内に収納した背嚢を、札本体後面側へ取り付け、嵌込片を台座の嵌合穴へ嵌め込んで合体させた位牌を祭壇へ載置する。
法事の時等に、札本体後面から背嚢を取り外し、収納部から板状メモリを取り出して再生機器にセットすれば、当人が元気だったころの画像（静止画や動画）を見たり、話声や歌声を聞いたり、当人が書いた文章を見たり、当人が楽器を演奏した時の演奏音を聞いたりできるので、故人を偲ぶことができる。
【００２９】
背嚢の収納部内に帯電防止弾性材を貼着しているため、静電気の発生を防ぐことができ、板状メモリへの衝撃も吸収できる。よって、板状メモリの半導体記憶素子へ電気的に記憶させた情報が失われない。
なお、板状メモリが当接する札本体の表面に帯電防止弾性材を貼着しても良い。
【００３０】
〔請求項５について〕
繰り出し位牌は、上開口へ屋根を着脱可能に嵌着し、内部に板収容室を設けた板収容体と、板収容体を支持する台座と、板収容体の板収容室内に収容される複数枚の札板とを具備し、祭壇へ載置される。
【００３１】
この繰り出し位牌は、不揮発性半導体記憶素子に、当人の生前の様子や当人が後世に伝えたい事柄を電気的に記憶させた板状メモリを収容可能（複数枚収納も可）で、空洞開口が札板上面に臨む空洞を札板に設け、着脱可能な上蓋で空洞開口を塞ぐとともに、空洞内面および上蓋内面に帯電防止弾性材を貼着している。
なお、空洞内へ収納可能な板状メモリは、ＭｉｃｒｏＳＤカード、ＭｉｎｉＳＤカード、ＳＤカード、およびＣＦカード（何れも商品名）である。
【００３２】
当人が他界した場合には、当人を撮影した画像（静止画や動画）、当人の話声や歌を録音した音声、当人が書いた文章、当人が楽器を演奏した時の演奏音等をデジタル化して格納した板状メモリを空洞内に収容して空洞開口を上蓋で塞いだ札板を、板収容体の板収容室内に収容し、屋根を取り付ける。
法事の時等に、屋根を取り外して板収容室内から札板を取り出し、上蓋を外して空洞から板状メモリを取り出して再生機器にセットすれば、当人が元気だったころの画像（静止画や動画）を見たり、話声や歌声を聞いたり、当人が書いた文章を見たり、当人が楽器を演奏した時の演奏音を聞いたりできるので、故人を偲ぶことができる。
【００３３】
空洞内面および上蓋内面に帯電防止弾性材を貼着しているため、静電気の発生を防ぐことができ、板状メモリへの衝撃も吸収できる。よって、板状メモリの半導体記憶素子へ電気的に記憶させた情報が失われない。
【考案を実施するための最良の形態】
【００３４】
位牌は、板厚が比較的薄い柱状の札本体の下端面から断面長方形の嵌込片を延出させた札板と、脚の上へ装飾座を四つ積層し、台座上面に開口部を有する嵌合穴を開けた台座とからなる。
この位牌には、フラッシュメモリ（商品名）に当人を撮影した画像（動画や静止画）や声を電気的に記憶させたＣＦカード（商品名）を丁度収納できる大きさで、穴開口が札本体の上面に開口する穴を札本体の上端面に設けている。そして、穴開口を着脱可能な蓋で塞ぐとともに、穴内壁および蓋裏面に帯電防止弾性材を貼着している。
当人が他界した場合には、上記ＣＦカードを穴に収納し、穴開口を蓋で塞いでから、嵌込片を台座の嵌合穴へ嵌め込んで合体させた位牌を祭壇へ載置する。
【００３５】
法事の時等には、札板の嵌込片を台座の嵌合穴から抜き、穴開口を塞いでいる蓋を外し、板状メモリを穴から取り出して再生機器にセットすれば、元気だったころの故人の画像を見たり声を聞いたりでき、故人を偲ぶことができる。
【００３６】
穴内壁および蓋裏面に帯電防止弾性材を貼着しているため、静電気の発生を防ぐことができ、板状メモリへの衝撃も吸収できる。よって、板状メモリの半導体記憶素子へ電気的に記憶させた情報が失われない。
【実施例１】
【００３７】
本考案の実施例１（請求項１に対応）を図１に基づいて説明する。
位牌Ａは、札本体１１の下端面から嵌込片１２が延出する札板１（木製）と、嵌込片１２を嵌め込むための嵌合穴２０を有する台座２（木製）とからなる。
【００３８】
札本体１１は、上下寸法が横寸法に比べて長く、横寸法に比べて板厚寸法が短い、断面長方形の四角柱である。この札本体１１の表面には、故人の戒名や死亡年月日等が記載されている。
嵌込片１２は、断面長方形であり、上下寸法、横寸法、および板厚寸法が、札本体１１の上下寸法、横寸法、および板厚寸法より短く設定されている。
【００３９】
嵌込片１２には、ＭｉｃｒｏＳＤカード（商品名）３１を収納するための収納室１３が設けられ、収納室壁には帯電防止弾性材１４が貼着されている。この収納室１３は、窪み３２が嵌まる突状１３ａを有する凹部であり、帯電防止弾性材１４を貼着した状態で、ＭｉｃｒｏＳＤカード３１を丁度収納できる大きさである。
なお、ＭｉｃｒｏＳＤカード３１には、生前に撮影しておいた当人の画像（静止画や動画）、当人の話声や歌を録音した音声、当人が書いた文章、当人が楽器を演奏した時の演奏音等のデジタルデータが格納されている。
【００４０】
台座２は、脚２１の上へ、装飾座２２、２３、２４、２５を積層して一体化したものである。
嵌合穴２０は、台座上面に開口を有し、装飾座２２、２３、２４、２５内を貫通して形成され、穴底が脚２１内に位置している。なお、嵌合穴２０は、嵌込片１２が緊密に嵌合する様に、穴寸法が設定されている。
【００４１】
本実施例の位牌Ａは、以下の利点を有する。
当人が他界した場合には、データ格納済みのＭｉｃｒｏＳＤカード３１を嵌込片１２の収納室１３に収納してから、嵌込片１２を台座２の嵌合穴２０へ嵌め込んで合体させ、この位牌Ａを祭壇等へ載置する。
【００４２】
そして、法事の時等には、札板１の嵌込片１２を台座２の嵌合穴２０から抜いてＭｉｃｒｏＳＤカード３１を収納室１３から取り出して再生機器にセットすれば、故人の画像（静止画や動画）を見たり、故人の話声や歌、故人が書いた文章、故人がが楽器を演奏した時の演奏音を聞いたりすることができ、故人を偲ぶことができる。
【００４３】
ＭｉｃｒｏＳＤカード３１を収納室１３へ収納後に、札板１の嵌込片１２を台座２の嵌合穴２０へ嵌め込んで合体させると、収納室１３が隠れるので、収納室１３や収納したＭｉｃｒｏＳＤカード３１が全く目に触れないので、位牌Ａの見栄えが良い。
【００４４】
なお、収納室壁に帯電防止弾性材１４を貼着しているため、静電気の発生を防ぐことができ、ＭｉｃｒｏＳＤカード３１への衝撃も吸収できる。よって、ＭｉｃｒｏＳＤカード３１のフラッシュメモリへ格納したデータが失われない。
【実施例２】
【００４５】
本考案の実施例２（請求項１に対応）を図２に基づいて説明する。
位牌Ｂは、札本体１１の下端面から嵌込片１２が延出する札板１（木製）と、嵌込片１２を嵌め込むための嵌合穴２０を有する台座２（木製）とからなる。
【００４６】
嵌込片１２には、ＭｉｃｒｏＳＤカード３１（商品名）を収納するための有底穴からなる収納室１５が設けられ、収納室壁には帯電防止弾性材が貼着されている。この収納室１５は、窪み３２が嵌まる突状１６を有する有底穴であり、帯電防止弾性材を穴壁に貼着した状態で、ＭｉｃｒｏＳＤカード３１を丁度収納できる大きさである。
なお、ＭｉｃｒｏＳＤカード３１には、生前に撮影しておいた当人の画像（静止画や動画）、当人の話声や歌を録音した音声、当人が書いた文章、当人が楽器を演奏した時の演奏音等のデジタルデータが格納されている。
【００４７】
台座２は、脚２１の上へ、複数の装飾座を積層して一体化したものである。
嵌合穴２０は、台座上面に開口を有し、各装飾座内を貫通して形成され、穴底が脚２１内に位置している。なお、嵌合穴２０は、嵌込片１２が緊密に嵌合する様に、穴寸法が設定されている。
【００４８】
本実施例の位牌Ｂは、以下の利点を有する。
当人が他界した場合には、データ格納済みのＭｉｃｒｏＳＤカード３１を嵌込片１２の収納室１５に収納してから、嵌込片１２を台座２の嵌合穴２０へ嵌め込んで合体させ、この位牌Ｂを祭壇等へ載置する。
【００４９】
そして、法事の時等には、札板１の嵌込片１２を台座２の嵌合穴２０から抜いてＭｉｃｒｏＳＤカード３１を収納室１５から取り出して再生機器にセットすれば、故人の画像（静止画や動画）を見たり、故人の話声や歌、故人が書いた文章、故人が楽器を演奏した時の演奏音を聞いたりすることができ、故人を偲ぶことができる。
【００５０】
ＭｉｃｒｏＳＤカード３１を収納室１５へ収納後に、札板１の嵌込片１２を台座２の嵌合穴２０へ嵌め込んで合体させると、収納室１５が隠れるので、収納室１５や収納したＭｉｃｒｏＳＤカード３１が全く目に触れないので、位牌Ｂの見栄えが良い。
【００５１】
なお、収納室壁に帯電防止弾性材を貼着しているため、静電気の発生を防ぐことができ、ＭｉｃｒｏＳＤカード３１への衝撃も吸収できる。よって、ＭｉｃｒｏＳＤカード３１のフラッシュメモリへ格納したデータが失われない。
【実施例３】
【００５２】
本考案の実施例３（請求項２に対応）を図３に基づいて説明する。
位牌Ｃは、札本体１１の下端面から嵌込片が延出する札板１（木製）と、嵌込片を嵌め込むための嵌合穴を有する台座２（木製）とからなる。
【００５３】
札本体１１には、ＳＤカード（商品名）４１を収納するための穴１７が設けられ、穴壁および蓋裏面には帯電防止弾性材１４が貼着されている。この穴１７は、帯電防止弾性材１４を貼着した状態で、ＳＤカード４１を丁度収納できる大きさである。そして、穴１７は、札本体１１の上面に穴開口を有し、穴開口は着脱可能な蓋１８で塞がれている。
なお、ＳＤカード４１には、生前に撮影しておいた当人の画像（静止画や動画）、当人の話声や歌を録音した音声、当人が書いた文章、当人が楽器を演奏した時の演奏音等のデジタルデータが格納されている。
【００５４】
本実施例の位牌Ｃは、以下の利点を有する。
当人が他界した場合には、データ格納済みのＳＤカード４１を穴１７に収納してから穴開口を蓋１８で塞ぎ、嵌込片を台座２の嵌合穴へ嵌め込んで合体させ、この位牌Ｃを祭壇等へ載置する。
【００５５】
そして、法事の時等には、札板１の嵌込片を台座２の嵌合穴から抜いてＳＤカード４１を穴１７から取り出して再生機器にセットすれば、故人の画像（静止画や動画）を見たり、故人の話声や歌、故人が書いた文章、故人がが楽器を演奏した時の演奏音を聞いたりすることができ、故人を偲ぶことができる。
【００５６】
穴内壁および蓋裏面に帯電防止弾性材１４を貼着しているため、静電気の発生を防ぐことができ、ＳＤカード４１への衝撃も吸収できる。よって、ＳＤカード４１のフラッシュメモリへ電気的に記憶させた情報が失われない。
【実施例４】
【００５７】
本考案の実施例４（請求項３に対応）を図４に基づいて説明する。
位牌Ｄは、札本体５１の下端面から嵌込片が延出する札板５（木製）と、嵌込片を嵌め込むための嵌合穴を有する台座２（木製）とからなる。
札本体５１の裏面には、ＣＦカード４２およびＭｉｎｉＳＤカード３３を収納するための段付の凹所５２、５３が設けられ、凹所壁および裏蓋裏面には帯電防止弾性材５４が貼着されている。
【００５８】
ＣＦカード４２やＭｉｎｉＳＤカード３３には、生前に撮影しておいた当人の画像（静止画や動画）、当人の話声や歌を録音した音声、当人が書いた文章、当人が楽器を演奏した時の演奏音等のデジタルデータが格納されている。
【００５９】
段付の凹所５２、５３の段には、ナットｎが埋設され、ビスｍのネジ部を裏蓋５５へ貫通させてナットｎに捻じ込むことにより裏蓋５５を札本体５１へ固定している。
段付の凹所５２、５３は、帯電防止弾性材５４を凹所壁に貼着した状態で、ＣＦカード４２やＭｉｎｉＳＤカード３３を丁度収納できる大きさである。
【００６０】
本実施例の位牌Ｄは、以下の利点を有する。
札本体５１の裏側は、比較的大面積であるので、段付の凹所５２、５３内に、ＣＦカード４２およびＭｉｎｉＳＤカード３３の両方を格納することができる。
【００６１】
当人が他界した場合には、データ格納済みのＣＦカード４２およびＭｉｎｉＳＤカード３３を段付の凹所５２、５３に収納してから裏蓋５５で塞ぎ、ビスｍを回して裏蓋５５を札本体５１へ固定する。そして、嵌込片を台座２の嵌合穴へ嵌め込んで合体させ、この位牌Ｄを祭壇等へ載置する。
【００６２】
法事の時等には、札板５の嵌込片を台座２の嵌合穴から抜き、ビスｍを回して段付の凹所５２、５３を塞いでいる裏蓋５５を外し、段付の凹所５２、５３からＣＦカード４２やＭｉｎｉＳＤカード３３を取り出して再生機器にセットすれば、故人の画像（静止画や動画）を見たり、故人の話声や歌、故人が書いた文章、故人が楽器を演奏した時の演奏音を聞いたりすることができ、故人を偲ぶことができる。
【００６３】
段付の凹所５２、５３の内壁および裏蓋５５の裏面に帯電防止弾性材５４を貼着しているため、静電気の発生を防ぐことができ、ＣＦカード４２およびＭｉｎｉＳＤカード３３への衝撃も吸収できる。よって、ＣＦカード４２やＭｉｎｉＳＤカード３３のフラッシュメモリへ電気的に記憶させた情報が失われない。
【実施例５】
【００６４】
本考案の実施例５（請求項４に対応）を図５に基づいて説明する。
位牌Ｅは、札本体６１の下端面から嵌込片が延出する札板６（木製）と、嵌込片を嵌め込むための嵌合穴を有する台座２（木製）と、札本体６１の背後に取り付けられる背嚢７とを備える。
【００６５】
断面略コ字状を呈する背嚢７には、ＣＦカード４２を収納可能な収納部７１が内側に形成され、収納部７１内には帯電防止弾性材７３が貼着されている。
ＣＦカード４２には、生前に撮影しておいた当人の画像（静止画や動画）、当人の話声や歌を録音した音声、当人が書いた文章、当人が楽器を演奏した時の演奏音等のデジタルデータが格納されている。
【００６６】
本実施例の位牌Ｅは、以下の利点を有する。
通常の位牌に背嚢７を取り付ければ、ＣＦカード４２を背嚢７の収納部７１へ収納することができる。
【００６７】
当人が他界した場合には、データ格納済みのＣＦカード４２を収納部７１に収納してから背嚢７を札本体６１の背後に取り付ける。そして、嵌込片を台座２の嵌合穴へ嵌め込んで合体させ、この位牌Ｅを祭壇等へ載置する。
【００６８】
法事の時等には、背嚢７を札本体６１の背後から取り外して収納部７１からＣＦカード４２を取り出して再生機器にセットすれば、故人の画像（静止画や動画）を見たり、故人の話声や歌、故人が書いた文章、故人が楽器を演奏した時の演奏音を聞いたりすることができ、故人を偲ぶことができる。
【００６９】
収納部７１の内壁に帯電防止弾性材７３を貼着しているため、静電気の発生を防ぐことができ、ＣＦカード４２への衝撃も吸収できる。よって、ＣＦカード４２のフラッシュメモリへ電気的に記憶させた情報が失われない。
【実施例６】
【００７０】
本考案の実施例６（請求項５に対応）を図６に基づいて説明する。
繰り出し位牌Ｆは、板収容体８１と、板収容体８１を支持する台座８２と、板収容体８１の板収容室８３内に収容される複数枚の札板８４とを具備し、複数枚の位牌を一つに纏めるためのものである。
【００７１】
断面四角形の筒状を呈する板収容体８１は、上開口へ屋根８５を着脱可能に嵌着し、内部は中空であり板収容室８３となっている。
台座８２は、脚８６の上へ、複数の装飾座を積層して一体化させたものである。
札板８４は、黒札１枚と、白木の札板６枚〜１０枚とにより構成されている。
【００７２】
札板８４のうち、白木の札板には、空洞開口８７が札板上面に臨み、板状メモリが収容可能な空洞８８が設けられている。
空洞開口８７は、着脱可能な上蓋８９により塞がれるとともに、空洞内面および上蓋内面に帯電防止弾性材８０を貼着している。
【００７３】
板状メモリには、生前に撮影しておいた当人の画像（静止画や動画）、当人の話声や歌を録音した音声、当人が書いた文章、当人が楽器を演奏した時の演奏音等のデジタルデータが格納されている。
板状メモリは、ＭｉｃｒｏＳＤカード、ＭｉｎｉＳＤカード、ＳＤカード、およびＣＦカード（何れも商品名）である。
【００７４】
本実施例の位牌Ｆは、以下の利点を有する。
法事の時等に、屋根８５を取り外して板収容室８３内から札板８４を取り出し、上蓋８９を外して空洞８８から板状メモリを取り出して再生機器にセットすれば、故人の画像（静止画や動画）を見たり、話声や歌声を聞いたり、故人が書いた文章を見たり、故人が楽器を演奏した時の演奏音を聞いたりできるので、故人を偲ぶことができる。
【００７５】
空洞内面および上蓋内面に帯電防止弾性材８０を貼着しているため、静電気の発生を防ぐことができ、板状メモリへの衝撃も吸収できる。よって、板状メモリの半導体記憶素子へ電気的に記憶させた情報が失われない。
【図面の簡単な説明】
【００７６】
【図１】本考案の実施例１にかかる位牌の説明図である。
【図２】本考案の実施例２にかかる位牌の説明図である。
【図３】本考案の実施例３にかかる位牌の説明図である。
【図４】本考案の実施例４にかかる位牌の説明図である。
【図５】本考案の実施例５にかかる位牌の説明図である。
【図６】本考案の実施例６にかかる繰り出し位牌の説明図である。
【符号の説明】
【００７７】
Ａ、Ｂ、Ｃ、Ｄ、Ｅ  位牌
Ｆ  繰り出し位牌
１、５、６、８４  札板
２  台座
７  背嚢  
１１、５１、６１  札本体
１２  嵌込片
１３  収納室
１４、５４、７３、８０  帯電防止弾性材
１５  収納室（穴）
１７  穴
１８  蓋
２０  嵌合穴
２１  脚
２２、２３、２４、２５  装飾座
３１  ＭｉｃｒｏＳＤカード（板状メモリ）
３３  ＭｉｎｉＳＤカード（板状メモリ）
４１  ＳＤカード（板状メモリ）
４２  ＣＦカード（板状メモリ）
５２、５３  凹所
５５  裏蓋
７１  収納部
８１  板収容体
８２  台座
８５  屋根
８７  空洞開口
８８  空洞
８９  上蓋
【図１】
0003141017.tif 000003
【図２】
0003141017.tif 000004
【図３】
0003141017.tif 000005
【図４】
0003141017.tif 000006
【図５】
0003141017.tif 000007
【図６】
0003141017.tif 000008